(57)【要約】【課題】管理サーバにかかる負担を軽減しつつ、緊急性のある情報を迅速に処理することができる監視端末装置および管理システムを提供すること。【解決手段】検体に対する分析を行う自動分析装置２０を監視し、ネットワークＮに接続された管理サーバ３０に対して自動分析装置２０から出力された状態情報を、ネットワークＮを介して送信する監視端末装置１０を有する管理システム１であって、監視端末装置１０が自動分析装置２０の状態情報を受信し、優先度管理テーブル１７を参照して得られる優先度と、負荷情報算出部１９が算出した管理サーバ３０負荷情報とをもとに、状態情報を管理サーバ３０に遅延させて送信するかを判断し、優先すべき状態情報から管理サーバ３０に送信することで、管理サーバ３０の負荷を軽減しつつ、優先すべき情報を送信することができる。【選択図】        図１
2010190688.tif 000002
【特許請求の範囲】
【請求項１】
検体に対する分析を行う自動分析装置を監視し、ネットワークに接続された管理装置に対して前記自動分析装置から出力された状態情報を、該ネットワークを介して送信する監視端末装置であって、
前記自動分析装置から出力された複数の状態情報を受信するとともに、各状態情報の優先度を管理する優先度管理手段と、
前回以前に送信した複数の状態情報に対する前記管理装置の処理負荷に関する情報である負荷情報を受信する受信手段と、
前記負荷情報および前記管理装置に送信すべき各状態情報の優先度をもとに各状態情報の送信時期をそれぞれ遅延させて送信する送信制御手段と、
を備えたことを特徴とする監視端末装置。
【請求項２】
前記送信制御手段は、優先度が低くなる順序で各状態情報の送信時期を遅らせるとともに、前記負荷情報に応じて各送信遅延時間を算出することを特徴とする請求項１に記載の監視端末装置。
【請求項３】
前記受信手段は、前回以前に送信した複数の状態情報の処理開始時間と処理終了時間を受信し、
前記処理開始時間と処理終了時間との差分により前記管理装置が処理した処理時間を算出し、該処理時間と前記管理装置の円滑処理が可能な基準処理時間との比を前記負荷情報として算出する負荷情報算出手段を備えたことを特徴とする請求項１または２に記載の監視端末装置。
【請求項４】
前記受信手段は、前回以前に送信した複数の状態情報の処理開始時間と処理終了時間とを受信し、
前記管理装置が処理した状態情報の情報量と前記処理開始時間と前記処理終了時間とをもとに単位処理時間に処理した情報量を前記負荷情報として算出する負荷情報算出手段を備えたことを特徴とする請求項１または２に記載の監視端末装置。
【請求項５】
前記送信制御手段は、前記負荷情報が示す負荷値が基準負荷値を下回る場合に前記送信時期を遅延させる制御を行なうことを特徴とする請求項１〜４のいずれか一つに記載の監視端末装置。
【請求項６】
前記送信制御手段は、前記優先度および前記負荷情報に応じて各状態情報の送信時期を遅らせるとともに、一時保存領域の空容量係数に応じて、前記遅延時間を算出することを特徴とする請求項１〜５のいずれか一つに記載の監視端末装置。
【請求項７】
前記空容量係数は、一時保存領域の空容量と前記一時保存領域の全容量との比をもとに決定されることを特徴とする請求項６に記載の監視端末装置。
【請求項８】
検体に対する分析を行う自動分析装置を監視し、ネットワークに接続された管理装置に対して前記自動分析装置から出力された状態情報を、該ネットワークを介して送信する監視端末装置であって、
前記自動分析装置から出力された複数の状態情報を受信するとともに、各状態情報の優先度を管理する優先度管理手段と、
前回以前に送信した複数の状態情報に対する前記管理装置の処理負荷に関する情報である負荷係数を受信する受信手段と、
前記負荷係数および前記管理装置に送信すべき各状態情報の優先度をもとに各状態情報の送信時期をそれぞれ遅延させて送信する送信制御手段と、
を備えたことを特徴とする監視端末装置。
【請求項９】
前記送信制御手段は、優先度が低くなる順序で各状態情報の送信時期を遅らせるとともに、前記負荷係数に応じて各送信遅延時間を算出することを特徴とする請求項８に記載の監視端末装置。
【請求項１０】
前記送信制御手段は、前記優先度および前記負荷係数に応じて各状態情報の送信時期を遅らせるとともに、一時保存領域の空容量係数に応じて、前記遅延時間を算出することを特徴とする請求項８または９に記載の監視端末装置。
【請求項１１】
前記空容量係数は、一時保存領域の空容量と前記一時保存領域の全容量との比をもとに決定されることを特徴とする請求項１０に記載の監視端末装置。
【請求項１２】
検体に対する分析を行う自動分析装置を監視し、ネットワークに接続された管理装置に対して前記自動分析装置から出力された状態情報を、該ネットワークを介して送信する監視端末装置を有する管理システムであって、
前記監視端末装置は、
前記自動分析装置から出力された複数の状態情報を受信するとともに、各状態情報の優先度を管理する優先度管理手段と、
前回以前に送信した複数の状態情報に対する前記管理装置の処理負荷に関する情報である負荷情報を受信する受信手段と、
前記負荷情報および前記管理装置に送信すべき各状態情報の優先度をもとに各状態情報の送信時期をそれぞれ遅延させて送信する送信制御手段と、
を備えたことを特徴とする管理システム。
【請求項１３】
前記送信制御手段は、優先度が低くなる順序で各状態情報の送信時期を遅らせるとともに、前記負荷情報に応じて各送信遅延時間を算出することを特徴とする請求項１２に記載の管理システム。
【請求項１４】
前記受信手段は、前回以前に送信した複数の状態情報の処理開始時間と処理終了時間を受信し、
前記処理開始時間と処理終了時間との差分により前記管理装置が処理した処理時間を算出し、該処理時間と前記管理装置の円滑処理が可能な基準処理時間との比を前記負荷情報として算出する負荷情報算出手段を備えたことを特徴とする請求項１２または１３に記載の管理システム。
【請求項１５】
前記受信手段は、前回以前に送信した複数の状態情報の処理開始時間と処理終了時間とを受信し、
前記管理装置が処理した状態情報の情報量と前記処理開始時間と前記処理終了時間とをもとに単位処理時間に処理した情報量を前記負荷情報として算出する負荷情報算出手段を備えたことを特徴とする請求項１２または１３に記載の管理システム。
【請求項１６】
検体に対する分析を行う自動分析装置を監視し、ネットワークに接続された管理装置に対して前記自動分析装置から出力された状態情報を、該ネットワークを介して送信する監視端末装置を有する管理システムであって、
前記監視端末装置は、
前記自動分析装置から出力された複数の状態情報を受信するとともに、各状態情報の優先度を管理する優先度管理手段と、
前回以前に送信した複数の状態情報に対する前記管理装置の処理負荷に関する情報である負荷係数を受信する受信手段と、
前記負荷情報および前記管理装置に送信すべき各状態情報の優先度をもとに各状態情報の送信時期をそれぞれ遅延させて送信する送信制御手段と、
を備えたことを特徴とする管理システム。
【請求項１７】
前記送信制御手段は、優先度が低くなる順序で各状態情報の送信時期を遅らせるとともに、前記負荷係数に応じて各送信遅延時間を算出することを特徴とする請求項１６に記載の管理システム。
【発明の詳細な説明】
【技術分野】
【０００１】
本発明は、検体に対する分析を行う自動分析装置を監視し、ネットワークに接続された管理装置に対して前記自動分析装置から出力された状態情報を、該ネットワークを介して送信する監視端末装置を有する管理システムに関するものである。
【背景技術】
【０００２】
従来、自動分析装置の信頼性を高めるため、自動分析装置を監視する監視端末装置と管理サーバとがネットワークなどの通信接続手段を介して接続され、接続した監視端末装置と管理サーバとの間で通信を行うことによって、自動分析装置の保守・管理する管理システムが提案されている。この管理システムでは、ネットワークを介して遠隔制御が可能であり、自動分析装置から状態情報を定期的または不定期に受信することによって、自動分析装置の状態を把握することができる。特に、自動分析装置において障害等が発生した場合に電子メール等で通知されるため、迅速に対応できる。
【０００３】
ところで、管理装置が定期的または不定期に自動分析装置の状態情報を取得すると、情報量の増大につながり、管理装置の処理能力が低下するという問題があった。この問題に対して、管理装置側へのデータの送信を遅延または再送信させてサーバへの負荷を軽減させる伝送システムが開示されている（たとえば、特許文献１参照）。
【０００４】
【特許文献１】特開平８−８９５７号公報
【発明の開示】
【発明が解決しようとする課題】
【０００５】
しかしながら、特許文献１に示す伝送システムでは、緊急性のある情報までもが遅延して送信されてしまう場合があり、緊急性のある情報に対応できず、装置の状態を悪化させてしまうおそれがあった。
【０００６】
本発明は、上記に鑑みてなされたものであって、管理サーバにかかる負担を軽減しつつ、緊急性のある情報を迅速に処理することができる監視端末装置および管理システムを提供することを目的とする。
【課題を解決するための手段】
【０００７】
上述した課題を解決し、目的を達成するために、本発明は、検体に対する分析を行う自動分析装置を監視し、ネットワークに接続された管理装置に対して前記自動分析装置から出力された状態情報を、該ネットワークを介して送信する監視端末装置であって、前記自動分析装置から出力された複数の状態情報を受信するとともに、各状態情報の優先度を管理する優先度管理手段と、前回以前に送信した複数の状態情報に対する前記管理装置の処理負荷に関する情報である負荷情報を受信する受信手段と、前記負荷情報および前記管理装置に送信すべき各状態情報の優先度をもとに各状態情報の送信時期をそれぞれ遅延させて送信する送信制御手段と、を備えたことを特徴とする。
【０００８】
また、本発明にかかる監視端末装置は、上記の発明において、前記送信制御手段は、優先度が低くなる順序で各状態情報の送信時期を遅らせるとともに、前記負荷情報に応じて各送信遅延時間を算出することを特徴とする。
【０００９】
また、本発明にかかる監視端末装置は、上記の発明において、前記受信手段は、前回以前に送信した複数の状態情報の処理開始時間と処理終了時間を受信し、前記処理開始時間と処理終了時間との差分により前記管理装置が処理した処理時間を算出し、該処理時間と前記管理装置の円滑処理が可能な基準処理時間との比を前記負荷情報として算出する負荷情報算出手段を備えたことを特徴とする。
【００１０】
また、本発明にかかる監視端末装置は、上記の発明において、前記受信手段は、前回以前に送信した複数の状態情報の処理開始時間と処理終了時間とを受信し、前記管理装置が処理した状態情報の情報量と前記処理開始時間と前記処理終了時間とをもとに単位処理時間に処理した情報量を前記負荷情報として算出する負荷情報算出手段を備えたことを特徴とする。
【００１１】
また、本発明にかかる監視端末装置は、上記の発明において、前記送信制御手段は、前記負荷情報が示す負荷値が基準負荷値を超えた場合に前記送信時期を遅延させる制御を行なうことを特徴とする。
【００１２】
また、本発明にかかる監視端末装置は、上記の発明において、前記送信制御手段は、前記優先度および前記負荷情報に応じて各状態情報の送信時期を遅らせるとともに、一時保存領域の空容量係数に応じて、前記遅延時間を算出することを特徴とする。
【００１３】
また、本発明にかかる監視端末装置は、上記の発明において、前記空容量係数は、一時保存領域の空容量と前記一時保存領域の全容量との比をもとに決定されることを特徴とする。
【００１４】
また、本発明にかかる監視端末装置は、上記の発明において、検体に対する分析を行う自動分析装置を監視し、ネットワークに接続された管理装置に対して前記自動分析装置から出力された状態情報を、該ネットワークを介して送信する監視端末装置であって、前記自動分析装置から出力された複数の状態情報を受信するとともに、各状態情報の優先度を管理する優先度管理手段と、前回以前に送信した複数の状態情報に対する前記管理装置の処理負荷に関する情報である負荷係数を受信する受信手段と、前記負荷係数および前記管理装置に送信すべき各状態情報の優先度をもとに各状態情報の送信時期をそれぞれ遅延させて送信する送信制御手段と、を備えたことを特徴とする。
【００１５】
また、本発明にかかる監視端末装置は、上記の発明において、前記送信制御手段は、優先度が低くなる順序で各状態情報の送信時期を遅らせるとともに、前記負荷係数に応じて各送信遅延時間を算出することを特徴とする。
【００１６】
また、本発明にかかる監視端末装置は、上記の発明において、前記送信制御手段は、前記優先度および前記負荷係数に応じて各状態情報の送信時期を遅らせるとともに、一時保存領域の空容量係数に応じて、前記遅延時間を算出することを特徴とする。
【００１７】
また、本発明にかかる監視端末装置は、上記の発明において、前記空容量係数は、一時保存領域の空容量と前記一時保存領域の全容量との比をもとに決定されることを特徴とする。
【００１８】
また、本発明にかかる管理システムは、上記の発明において、検体に対する分析を行う自動分析装置を監視し、ネットワークに接続された管理装置に対して前記自動分析装置から出力された状態情報を、該ネットワークを介して送信する監視端末装置を有する管理システムであって、前記監視端末装置は、前記自動分析装置から出力された複数の状態情報を受信するとともに、各状態情報の優先度を管理する優先度管理手段と、前回以前に送信した複数の状態情報に対する前記管理装置の処理負荷に関する情報である負荷情報を受信する受信手段と、前記負荷情報および前記管理装置に送信すべき各状態情報の優先度をもとに各状態情報の送信時期をそれぞれ遅延させて送信する送信制御手段と、を備えたことを特徴とする。
【００１９】
また、本発明にかかる管理システムは、上記の発明において、前記送信制御手段は、優先度が低くなる順序で各状態情報の送信時期を遅らせるとともに、前記負荷情報に応じて各送信遅延時間を算出することを特徴とする。
【００２０】
また、本発明にかかる管理システムは、上記の発明において、前記受信手段は、前回以前に送信した複数の状態情報の処理開始時間と処理終了時間を受信し、前記処理開始時間と処理終了時間との差分により前記管理装置が処理した処理時間を算出し、該処理時間と前記管理装置の円滑処理が可能な基準処理時間との比を前記負荷情報として算出する負荷情報算出手段を備えたことを特徴とする。
【００２１】
また、本発明にかかる管理システムは、上記の発明において、前記受信手段は、前回以前に送信した複数の状態情報の処理開始時間と処理終了時間とを受信し、前記管理装置が処理した状態情報の情報量と前記処理開始時間と前記処理終了時間とをもとに単位処理時間に処理した情報量を前記負荷情報として算出する負荷情報算出手段を備えたことを特徴とする。
【００２２】
また、本発明にかかる管理システムは、上記の発明において、検体に対する分析を行う自動分析装置を監視し、ネットワークに接続された管理装置に対して前記自動分析装置から出力された状態情報を、該ネットワークを介して送信する監視端末装置を有する管理システムであって、前記監視端末装置は、前記自動分析装置から出力された複数の状態情報を受信するとともに、各状態情報の優先度を管理する優先度管理手段と、前回以前に送信した複数の状態情報に対する前記管理装置の処理負荷に関する情報である負荷係数を受信する受信手段と、前記負荷情報および前記管理装置に送信すべき各状態情報の優先度をもとに各状態情報の送信時期をそれぞれ遅延させて送信する送信制御手段と、を備えたことを特徴とする。
【００２３】
また、本発明にかかる管理システムは、上記の発明において、前記送信制御手段は、優先度が低くなる順序で各状態情報の送信時期を遅らせるとともに、前記負荷係数に応じて各送信遅延時間を算出することを特徴とする。
【発明の効果】
【００２４】
本発明によれば、管理サーバの負荷情報と管理サーバに送信する情報の優先度とをもとに、管理サーバに遅延して送信する時間を算出し、遅延時間経過後に管理サーバに情報を送信するようにしたので、管理サーバにかかる負担を軽減しつつ、緊急性のある情報を迅速に処理することができるという効果を奏する。
【発明を実施するための最良の形態】
【００２５】
以下、図面を参照して、この発明の実施の形態である自動分析装置の管理システムについて説明する。なお、この実施の形態によりこの発明が限定されるものではない。また、図面の記載において、同一部分には同一の符号を付している。
【００２６】
まず、実施の形態にかかる管理システムについて説明する。図１は、本発明の実施の形態にかかる自動分析装置の管理システムの構成を示す模式図である。この管理システム１は、検体を自動的に分析する自動分析装置２０と接続され、自動分析装置２０の状態情報を受信し、管理サーバ３０に状態情報を送信するとともに、自動分析装置２０の監視を行なう監視端末装置１０と、監視端末装置１０から送信される各自動分析装置２０の状態情報を管理する管理装置としての管理サーバ３０とがインターネット等のネットワークＮを介して通信可能に接続される。
【００２７】
監視端末装置１０は、監視端末装置１０の各構成部位の処理動作を制御する制御部１１と、種々の情報を入力するためのキーボード等を用いて構成され、検体の分析に必要な諸情報や分析動作の指示情報等を外部から取得する入力部１２と、ディスプレイ等を用いて構成され、自動分析装置２０の情報を表示する出力部１３と、ネットワークＮを介して所定の形式にしたがった情報の送受信を行なうインターフェースとしての機能を有する送受信部１４と、自動分析装置２０の状態情報を記憶する記憶部１５と、を有する。また、制御部１１は、管理サーバ３０に送信する自動分析装置２０の状態情報の送信を制御する送信制御部１８と、管理サーバ３０から受信した情報をもとに負荷情報を算出する負荷情報算出部１９を有する。さらに、記憶部１５は、一時的に状態情報等を保存する一時保存領域１６と、自動分析装置２０の各状態情報に付加され、管理サーバ３０への情報送信に関する優先度を管理する優先度管理テーブル１７とを有する。
【００２８】
自動分析装置２０は、検体および検査項目に対応する試薬を反応容器に分注し、反応容器内で生じる反応を光学的に測定する測定機構を有し、測定機構の各種情報を自動分析装置２０の状態情報として、監視端末装置１０に送信する。なお、自動分析装置２０の状態情報には、警報情報、温度情報、分注回数または測光回数等の情報が含まれる。
【００２９】
管理サーバ３０は、管理サーバ３０の各構成部位の処理動作を制御する制御部３１と、諸情報を外部から取得する入力部３２と、ディスプレイ等を用いて構成され、管理サーバ３０が処理した各自動分析装置２０の状態情報を表示する出力部３３と、監視端末装置１０とネットワークＮを介して所定の形式にしたがった情報の送受信を行なうインターフェースとしての機能を有する送受信部３４と、各自動分析装置２０から送信された各自動分析装置２０の情報を管理情報として記憶する記憶部３５と、を有する。
【００３０】
この管理システム１では、監視端末装置１０が自動分析装置２０の状態情報を受信し、受信した状態情報に対応する優先度と、負荷情報算出部１９が算出した管理サーバ３０負荷情報とをもとに、状態情報を管理サーバ３０に遅延させて送信するかを判断し、優先すべき状態情報から管理サーバ３０に送信する。なお、監視端末装置１０は、ネットワークＮを介して管理サーバ３０に接続するものを例示したが、これに限らず、例えば、管理サーバ３０にローカル接続してもよい。また、監視端末装置１０は、複数の自動分析装置と接続してもよい。
【００３１】
ここで、監視端末装置１０から管理サーバ３０に送信する自動分析装置２０の状態情報の優先度について、図２，３を参照して説明する。図２は、本発明の実施の形態にかかる優先度管理テーブルにおける優先度設定テーブルを示す模式図である。図２に示す優先度設定テーブルＴ１は、管理サーバ３０に送信する状態情報の優先度と、優先度に対応した優先値とを設定することができる。優先値は、優先度における優先性が低くなるにつれて、値が大きくなるように設定される。優先度設定テーブルＴ１において設定された優先値は、監視端末装置１０が、自動分析装置２０から状態情報を受信した場合に、送信制御部１８が行なう遅延時間の算出に用いられる。なお、優先度が最優先である場合は、遅延時間の算出は行わずに管理サーバ３０に送信されるため、優先値は設定されていない。また、優先度および優先値は、任意に設定が可能であり、各優先度が複数の優先値を有してもよく、優先値が浮動的な値でもよい。
【００３２】
また、図３は、図２に示す優先度設定テーブルをもとに、各状態情報と、管理サーバ３０に送信する優先度との優先度対応テーブルの一例を示す模式図である。図３に示す優先度対応テーブルＴ２は、警報番号に対応した優先度を示しており、監視端末装置１０が自動分析装置２０から状態情報を受信した場合に、制御部１１が優先度対応テーブルＴ２を参照して、受信した状態情報の優先度を確認し、送信制御部１８がこの優先度を用いて、遅延時間の算出を行なう。なお、優先度対応テーブルＴ２は、状態情報のカテゴリ毎に分けて優先度対応テーブルを作成してもよく、すべての状態情報を包括した優先度対応テーブルとしてもよい。
【００３３】
つぎに、管理サーバ３０の負荷情報について、図４，５を参照して説明する。図４は、処理時間比と負荷係数とを管理する負荷情報テーブルを示す図であり、図５は、図４に示す負荷情報テーブルに対応したグラフを示す図である。図４に示す負荷情報テーブルＴ３は、管理サーバ３０にかかる負荷が低い状態で処理された場合の状態情報の基準処理時間を、直前に処理した状態情報の処理時間で除算して算出される負荷値としての処理時間比と、処理時間比に対応して設定される負荷係数とを管理する。管理サーバ３０から直前に処理した状態情報の処理開始時間と処理終了時間とを受信すると、負荷情報算出部１９は、管理サーバ３０が直前に処理した状態情報の処理時間を算出し、基本処理時間と除算することで得られた処理時間比を、図４に示す負荷情報テーブルＴ３を参照して負荷係数を決定する。得られた処理時間比が、１を下回る場合は、基準処理時間と比して、時間を要して処理されたこととなるため、管理サーバ３０に負荷がかかっていると判断でき、負荷係数を用いて、遅延時間を算出する。なお、除算した結果得られた処理時間比が１以上である場合は、管理サーバ３０が通常行う処理と比して負荷がかかっていないことから、負荷係数は０となり、送信制御部１８が算出する遅延時間も０となる。また、処理時間比と負荷係数とを、図５に示すような負荷情報グラフとして設定・管理してもよく、この場合、送信制御部１８は、算出した処理時間比をもとに、負荷情報グラフを参照して負荷係数を決定する。
【００３４】
なお、管理サーバの３０の負荷情報は、送信制御部１８が、管理サーバ３０から直前に処理した状態情報の処理開始時間および処理終了時間を受信して処理時間を算出後、該当する状態情報の情報量を処理時間で除算することによって、単位時間に処理した情報量を算出して、算出された単位時間に処理した情報量を負荷情報としてもよい。ここで、基準処理情報量として、通常、管理サーバ３０が処理可能な情報量を設定し、算出された単位時間に処理した情報量と比較することによって管理サーバ３０の負荷状態を判断してもよい。
【００３５】
ここで、監視端末装置１０が行なう自動分析装置２０の状態情報の受付処理について、図６を参照して説明する。図６は、本発明の実施の形態にかかる状態情報受付処理を示すフローチャートである。まず、図１に示す自動分析装置２０から状態情報を受信すると（ステップＳ１０２）、制御部１１は、受信した状態情報が管理サーバ３０に送信すべき情報であるか否かを判断する（ステップＳ１０４）。受信した状態情報が管理サーバ３０に送信する情報である場合（ステップＳ１０４：Ｙｅｓ）、制御部１１は、優先度管理テーブル１７を参照して、受信した状態情報の優先度が最優先に設定されるか否かを判断する（ステップＳ１０６）。受信した状態情報が、最優先に設定されない場合（ステップＳ１０６：Ｎｏ）、受信した状態情報に、該当する優先度の情報を付加して、ステップＳ１１０に移行して、受信した状態情報を一時保存領域１６に格納する。また、受信した状態情報の優先度が、最優先に設定される場合（ステップＳ１０６：Ｙｅｓ）、制御部１１は、受信した状態情報に割り込みして送信する旨の情報を付加し（ステップＳ１０８）、ステップＳ１１０に移行して状態情報を一時保存領域１６に格納する。その後、制御部１１は、新たな状態情報があるか否かを確認し（ステップＳ１１２）、新たな状態情報がある場合（ステップＳ１１２：Ｙｅｓ）、ステップＳ１０４に移行して、受信した新たな状態情報に対して上述した処理を繰り返す。また、新たな状態情報がない場合（ステップＳ１１２：Ｎｏ）、制御部１１は、状態情報受付処理を終了する。
【００３６】
なお、ステップＳ１０４において、管理サーバ３０に送信すべき情報でない場合（ステップＳ１０４：Ｎｏ）、制御部１１は、ステップＳ１０２に移行して自動分析装置２０からの新たな状態情報の受信に備え、待機する。また、ステップＳ１０８における割込送信では、最優先である旨の情報の付加に加え、一時保存領域１６の先頭に格納するように設定されることが好ましい。
【００３７】
また、監視端末装置１０が行なう自動分析装置２０の状態情報の送信処理について、図７を参照して説明する。図７は、本発明の実施の形態にかかる状態情報送信処理を示すフローチャートである。まず、送信制御部１８は、一時保存領域１６に状態情報があるか否かを確認する（ステップＳ２０２）。一時保存領域１６に状態情報がある場合（ステップＳ２０２：Ｙｅｓ）、送信制御部１８は、管理サーバ３０への状態情報の送信が初回か否かを判断し、初回である場合（ステップＳ２０４：Ｙｅｓ）、ステップＳ２１２へ移行し、管理サーバ３０に状態情報を送信する。また、状態情報の送信が初回ではなく（ステップＳ２０４：Ｎｏ）、状態情報の優先度が最優先に設定されている場合（ステップＳ２０６：Ｙｅｓ）においても送信制御部１８は、ステップＳ２１２に移行して管理サーバ３０に状態情報を送信する。管理サーバに状態情報を送信後、送信制御部１８は、管理サーバ３０から負荷情報を受信したか否かを判断する（ステップＳ２１４）。ここで、管理サーバ３０からの負荷情報を受信していない場合（ステップＳ２１４：Ｎｏ）、負荷情報の受信が完了するまで待機し、負荷情報の受信が完了すると（ステップＳ２１４：Ｙｅｓ）、受信した負荷情報を記憶部１５に格納し、ステップＳ２１６に移行して新たな状態情報が一時保存領域１６にあるか否かを確認する。その後、新たな状態情報がある場合（ステップＳ２１６：Ｙｅｓ）、ステップＳ２０４に移行して上述した処理を繰り返し、新たな状態情報がない場合（ステップＳ２１６：Ｎｏ）、送信制御部１８は、状態情報送信処理を終了する。
【００３８】
ここで、ステップＳ２０６において、状態情報の優先度が最優先に設定されない場合（ステップＳ２０６：Ｎｏ）、送信制御部１８は、遅延時間の計算を行なう（ステップＳ２０８）。遅延時間は、送信制御部１８が、管理サーバ３０が通常処理に要する時間をもとに設定される遅延単位時間と、上述した優先値および負荷係数とを乗算することによって算出される。遅延単位時間は、任意に設定可能であり、たとえば、３０（秒）に設定され、この遅延単位時間に優先値および負荷係数を乗算することによって、優先度と管理サーバ３０の負荷状況とに適した遅延時間が得られる。遅延時間が算出されると、送信制御部１８は、状態情報を算出された遅延時間待機させ（ステップＳ２１０）、遅延時間経過後、管理サーバ３０に送信する（ステップＳ２１２）。上述した処理を繰り返すことによって、管理サーバ３０の負荷状況を確認しつつ、管理サーバ３０への状態情報の送信を優先度に応じて送信制御することができる。
【００３９】
なお、送信制御部１８が行なう遅延時間の算出において、監視端末装置１０の一時保存領域１６の空容量を考慮してもよい。図８は、空容量比と空容量係数とを管理する空容量情報テーブルを示す図である。図８に示す空容量情報テーブルＴ４は、一時保存領域１６の空容量を、一時保存領域１６の全容量で除算した空容量比と、空容量比に対応して設定される空容量係数とが管理される。送信制御部１８は、得られた空容量係数を上述した遅延時間に乗算し、監視端末装置１０の空容量を考慮した遅延時間を算出することができる。また、図９に示すようなグラフを用いて空容量比と空容量係数とを管理してもよい。図９は、図８に示す空容量情報テーブルに対応した空容量情報グラフを示す図であり、送信制御部１８が、算出して得られた空容量比をもとに、空容量情報グラフを参照して空容量係数を決定してもよい。
【００４０】
また、送信制御部１８が受信する管理サーバ３０の負荷情報において、管理サーバ３０が図４に示す処理時間比または負荷係数を算出し、負荷情報または負荷係数として監視端末装置１０に送信するようにしてもよい。図１０は、図１に示す管理システムの変形例を示す模式図である。図１０に示す管理システム１は、管理サーバ３０が負荷情報算出部３６を有し、負荷情報算出部３６が処理時間比を算出して、記憶部３５に記憶された処理時間比と負荷係数との関係テーブルを参照して負荷係数を決定し、監視端末装置１０に送信してもよく、負荷情報算出部３６で算出された処理時間比を負荷情報として監視端末装置１０に送信してもよい。
【００４１】
上述した実施の形態にかかる管理システムによって、自動分析装置の状態情報に対応する優先度と、管理サーバの負荷情報とをもとに遅延時間を算出して、送信を制御することによって、管理サーバにかかる負荷を軽減しつつ、緊急性のある状態情報を優先して送信することができる。また、管理サーバの負荷状態を確認しながら監視端末装置と管理サーバとの間の情報の送受信を行なうため、再送信処理がなく無駄な送受信を抑制することができる。さらに、監視端末装置の一時保存領域の空容量情報を遅延時間の算出に加えることによって、管理システム内での処理状況を一層考慮した送受信を行なうことが可能となる。
【００４２】
また、上述した実施の形態に限らず、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００４３】
【図１】本発明の実施の形態にかかる自動分析装置の管理システムの構成を示す模式図である。
【図２】本発明の実施の形態にかかる優先度管理テーブルにおける優先度設定テーブルを示す図である。
【図３】各状態情報と、管理サーバに送信する優先度との優先度対応テーブルの一例を示す図である。
【図４】処理時間比と負荷係数とを管理する負荷情報テーブルを示す図である。
【図５】図４に示す負荷情報テーブルに対応した負荷情報グラフを示す図である。
【図６】本発明の実施の形態にかかる状態情報受信処理を示すフローチャートである。
【図７】本発明の実施の形態にかかる状態情報送信処理を示すフローチャートである。
【図８】空容量比と空容量係数とを管理する空容量情報テーブルを示す図である。
【図９】図８に示す空容量情報テーブルに対応した空容量情報グラフを示す図である。
【図１０】図１に示す管理システムの変形例を示す模式図である。
【符号の説明】
【００４４】
１  管理システム
１０  監視端末装置
１１，３１  制御部
１２，３２  入力部
１３，３３  出力部
１４，３４  送受信部
１５，３５  記憶部
１６  一時保存領域
１７  優先度管理テーブル
１８  送信制御部
１９，３６  負荷情報算出部
２０  自動分析装置
３０  管理サーバ
Ｎ  ネットワーク
【図１】
2010190688.tif 000003
【図２】
2010190688.tif 000004
【図３】
2010190688.tif 000005
【図４】
2010190688.tif 000006
【図５】
2010190688.tif 000007
【図６】
2010190688.tif 000008
【図７】
2010190688.tif 000009
【図８】
2010190688.tif 000010
【図９】
2010190688.tif 000011
【図１０】
2010190688.tif 000012